(57)【特許請求の範囲】
【請求項１】
透光板の一方の面に対して、所定の絵画の画像の縁を描き、当該画像の縁の内部の色に対応する色の宝石を当該画像の縁の内部に接着し、全ての画像に対して複数の宝石を敷き詰めることで得られる宝石絵画と、
前記宝石絵画の複数の宝石が敷き詰められた透光板の一方の面を内面とし、当該透光板の他方の面を外面として、当該宝石絵画の透光板の他方の面をユーザーに視認可能に保持する額縁と、
前記額縁の内部に収納され、前記宝石絵画の内面に光を照射させる照明部と、
を備えることを特徴とする宝石絵画用照明付き額縁。
【請求項２】
前記宝石絵画の内面と、前記照明部の光が照射される一方の面との間に、透明又は半透明で、強度のあるフィルムを備える
請求項１に記載の宝石絵画用照明付き額縁。
【請求項３】
前記照明部は、前記宝石絵画の内面に対応して、多色発光可能な複数のフルカラーＬＥＤ発光素子を面状に敷き詰めた構成とし、
前記フルカラーＬＥＤ発光素子に電気的に接続され、前記宝石絵画の画像に合わせて、各フルカラーＬＥＤ発光素子の点灯を制御する点灯制御部を備える
請求項２に記載の宝石絵画用照明付き額縁。
【請求項４】
前記フィルムは、半透明で乳白色のフィルムである
請求項３に記載の宝石絵画用照明付き額縁。
【発明の詳細な説明】
【技術分野】
【０００１】
本発明は、宝石絵画用照明付き額縁に関する。
【背景技術】
【０００２】
従来より、宝石の分野では、宝石を美しく見せる技術は多種存在する。例えば、実用新案登録第３１１０１４９号公報（特許文献１）には、ランプケース、宝石及び発光部品を含む照明器具が開示されている。この照明器具は、明度の高い光を発し、前記ランプケース内には設置部を設置し宝石を設置し、前記宝石に対応し前記ランプケース内には前記発光部品を設置し、前記発光部品の明るい光は前記宝石上に投射され、前記宝石は明度の高い光を生じることを特徴とする。これにより、ダイヤモンドのような明るく輝く光線を投射可能となり、透明度の高い透過シェードを組合せ、多様性を楽しむことが可能となるとしている。
【０００３】
又、特開２００５−２４５９１２号公報（特許文献２）には、宝石ケースに収納された所望の宝石又は身飾品を、宝石ケースの任意個所に付設された適宜光源による照明部材によって、収納された宝石又は身飾品を輝かすことを特徴とした宝石ケースが開示されている。これにより、宝石又は身飾品を一段と美麗に光輝させ、商品価値の更なる向上を図ると同時に、プレゼントを行なった時の相手の驚き等の意外性や演出効果に優れ、且つディスプレーとして供する際にも、優れた演出効果が発揮し得るとしている。
【０００４】
又、特開２００８−２７９２２７号公報（特許文献３）には、宝飾箱の内部にＬＥＤ白色照明を設け若しくは宝飾品の色に合わせた発光色のＬＥＤ、電池、発光制御回路と蓋の開閉に連動し、開けたときにオンするスイッチを備えたＬＥＤ照明付き宝飾箱が開示されている。この宝石箱は、ＢＧＭ、メッセージなどを記録するｍｉｎｉＳＤなどの記録媒体を接続するコネクタ、記録媒体に記録されたＢＧＭ、メッセージなどを再生する音楽再生機を備えたことを特徴とする。これにより、録音されたｍｉｎｉＳＤを宝飾箱に差し込んで電源スイッチを入れ、プレゼントの相手に手渡し宝飾箱を開けてもらうと、中の宝石、時計などがＬＥＤで照明されると同時に着メロ（登録商標）などのＢＧＭとともにプレゼントメッセージが再生演出されるとしている。
【０００５】
又、特開２００９−２７９２７８号公報（特許文献４）には、上部が開口した箱本体と、該箱本体に対応して開閉可能に連結された上蓋と、前記箱本体内に装設され装飾品を載置可能とすると共にその中央部に一方から他方に向けて配設された切込溝を有する支持マットとを備えてなる宝石箱が開示されている。この宝石箱の前記上蓋は前記箱本体に対して起伏回動により開閉される構造とすると共に、この上蓋の内側の面に前記支持マットを照明する発光手段を設け、前記切込溝を前記箱本体の正面に対して直交する方向に配設すると共に、この切込溝の溝面の縦断面形状をＶ字状としたことを特徴とする。これにより、美感性に富み、興趣と意外性のある演出が可能となり、従来にはない優れた宝石箱を提供することができるとしている。
【０００６】
又、絵画の分野でも絵画を美しく見せる技術は存在する。例えば、特開平７−１９５９００号公報（特許文献５）には、透明或は半透明のプラスチックス板又は硝子板等の同効物質の板体をキャンバスとし、該キャンバス上にプラスチック粉末或は破片又はそれ等の混合物を絵の具として溶剤又は接着剤を用いて所望の絵像を描出形成させた絵画が開示されている。又、この絵画は、更に、その絵の背面に照明装置を設けている。これにより、絵画の独特の彩色と趣きの効果を高めるとしている。
【先行技術文献】
【特許文献】
【０００７】
【特許文献１】実用新案登録第３１１０１４９号公報
【特許文献２】特開２００５−２４５９１２号公報
【特許文献３】特開２００８−２７９２２７号公報
【特許文献４】特開２００９−２７９２７８号公報
【特許文献５】特開平７−１９５９００号公報
【発明の概要】
【発明が解決しようとする課題】
【０００８】
ところで、宝石の分野では、多種の色の宝石を台紙又はガラス板に接着させることで絵画を描く宝石絵画（宝石画、ジュエリーアート）が存在する。この宝石絵画は、例えば、所定の絵画の画像の縁が描かれたガラス板の上に、画像の縁の色に対応した色の宝石（中級程度の宝石）を一つずつ接着剤で接着し、そのガラス板を額縁に入れることで、複数の宝石をあたかも一つの絵画に見立てて製造する。この宝石絵画には、多種の色の宝石の輝きと立体感があり、全体として美感性や独特の審美性がある。そして、永遠の美しさを有する複数の宝石で絵画の各部を構成していることから、例えば、１００年以上も色褪せることのない絵画とすることが出来るため、長期保存性に優れている。
【０００９】
しかしながら、従来の宝石絵画は、ユーザーが視認する表面を、宝石絵画の台紙又はガラス板に接着された宝石側の面としていたため、一見すると、複数の宝石の凹凸が目立ち、一つ一つの宝石が粗く表出されて、各宝石自体の美しさが十分に活かされていないという課題がある。又、宝石は、通常、光の照射を受けて光輝くため、宝石絵画を一度額縁へ入れると、光の照射を受け難い。そのため、宝石本来の輝きが分かり難く、宝石絵画の美しさが十分に引き出されないという課題がある。このような課題に対して、上述した特許文献１−５に記載の発明では解決することが出来ない。
【００１０】
そこで、本発明では、前記課題を解決するためになされたものであり、宝石絵画の美しさを十分に引き出すことが可能な宝石絵画用照明付き額縁を提供することを目的とする。
【課題を解決するための手段】
【００１１】
本発明者は、鋭意研究を重ねた結果、本発明に係る宝石絵画用照明付き額縁を完成させた。即ち、本発明に係る宝石絵画用照明付き額縁は、宝石絵画と、額縁と、照明部と、を備える。宝石絵画は、透光板の一方の面に対して、所定の絵画の画像の縁を描き、当該画像の縁の内部の色に対応する色の宝石を当該画像の縁の内部に接着し、全ての画像に対して複数の宝石を敷き詰めることで得られる。又、額縁は、前記宝石絵画の複数の宝石が敷き詰められた透光板の一方の面を内面とし、当該透光板の他方の面を外面として、当該宝石絵画の透光板の他方の面をユーザーに視認可能に保持する。又、照明部は、前記額縁の内部に収納され、前記宝石絵画の内面に光を照射させる。前記宝石絵画の内面と、前記照明部の光が照射される一方の面との間に、透明又は半透明で、強度のあるフィルムを備える。前記照明部は、前記宝石絵画の内面に対応して、多色発光可能な複数のフルカラーＬＥＤ発光素子を面状に敷き詰めた構成とし、前記フルカラーＬＥＤ発光素子に電気的に接続され、前記宝石絵画の画像に合わせて、各フルカラーＬＥＤ発光素子の点灯を制御する点灯制御部を備える。前記フィルムは、半透明で乳白色のフィルムである。
【発明の効果】
【００１２】
本発明に係る宝石絵画用照明付き額縁によれば、宝石絵画の美しさを十分に引き出すことが可能となり、１００年以上経っても色褪せることが無く、「家代々の宝物」（ビジュドファミーユ）として有効である。
【図面の簡単な説明】
【００１３】
【図１】本発明に係る宝石絵画用照明付き額縁の正面図（図１Ａ）と、本発明に係る宝石絵画用照明付き額縁の側面断面図（図１Ｂ）とである。
【図２】本発明に係る宝石絵画の第一の製造ステップを示す正面図（図２Ａ）と、本発明に係る宝石絵画の第二の製造ステップを示す正面図（図２Ｂ）と、本発明に係る宝石絵画の第三の製造ステップを示す正面図（図２Ｃ）と、本発明に係る宝石絵画の第四の製造ステップを示す正面図（図２Ｄ）とである。
【図３】本発明に係る第一の照明部の正面図（図３Ａ）と、本発明に係る第一の照明部のみの側面図及び第一の照明部と宝石絵画とを合わせた側面図（図３Ｂ）と、本発明に係る第一の照明部と額縁との斜視図（図３Ｃ）と、本発明に係る第一の照明部を額縁に装着した際の斜視図（図３Ｄ）とである。
【図４】本発明に係る第一の照明部の照明無しと照明有りの正面図（図４Ａ）と、本発明に係る第一の照明部の照明無しと照明有りの拡大正面図（図４Ｂ）とである。
【図５】本発明に係る第二の照明部の正面図（図５Ａ）と、本発明に係る第二の照明部の拡大側面図（図５Ｂ）と、本発明に係る第二の照明部のみの側面図及び第二の照明部と宝石絵画とを合わせた側面図（図５Ｃ）とである。
【図６】光の照度が弱い場合の第二の照明部及び宝石絵画（図６Ａ）と、光の照度が強い場合の第二の照明部及び宝石絵画（図６Ｂ）とである。
【図７】照明部を複数のフルカラーＬＥＤ発光素子にした場合の一例を示す図（図７Ａ）と、複数のフルカラーＬＥＤ発光素子と点灯制御部をハウジングした額縁の一例を示す図（図７Ｂ）と、複数のフルカラーＬＥＤ発光素子の点灯例を示す図（図７Ｃ）とである。
【図８】乳白色フィルムを用いた複数のフルカラーＬＥＤ発光素子の点灯例を示す図（図８Ａ）と、点灯制御部に人感センサーと音楽生成部とを設けた場合の一例を示す図（図８Ｂ）とである。
【図９】宝石絵画を虹色に輝かせた場合の一例を示す図である。
【図１０】宝石絵画を多種の単色で順次光らせた場合の一例を示す図である。
【図１１】実施例１の宝石絵画用照明付き額縁において照明部の照明無しと照明有りの正面図（図１１Ａ）と、実施例１の宝石絵画の宝石のある面の正面図（図１１Ｂ）とである。
【図１２】従来の宝石絵画の側面断面図（図１２Ａ）と、比較例１の宝石絵画の正面斜視図（図１２Ｂ）と、比較例１の宝石絵画の拡大正面斜視図（図１２Ｃ）とである。
【発明を実施するための形態】
【００１４】
以下に、添付図面を参照して、本発明に係る宝石絵画用照明付き額縁の実施形態について説明し、本発明の理解に供する。尚、以下の実施形態は、本発明を具体化した一例であって、本発明の技術的範囲を限定する性格のものではない。
【００１５】
本発明に係る宝石絵画用照明付き額縁１は、図１Ａ、図１Ｂに示すように、宝石絵画１０と、額縁１１と、照明部１２とを備えている。宝石絵画１０は、透光板１０ａの一方の面（例えば、裏面）に対して、所定の絵画（例えば、ボール）の画像の縁を描き、当該画像の縁の内部の色に対応する色の宝石１０ｂを当該画像の縁の内部に接着し、全ての画像に対して複数の宝石１０ｂを敷き詰めることで得られる。又、額縁１１は、前記宝石絵画１０の複数の宝石１０ｂが敷き詰められた透光板１０ａの一方の面を内面とし、当該透光板１０ａの他方の面（例えば、表面）を外面として、当該宝石絵画１０の透光板１０ａの他方の面をユーザーに視認可能に保持する。又、照明部１２は、前記額縁１１の内部に収納され、前記宝石絵画１０の内面に光を照射させる。これにより、宝石絵画１０の美しさを十分に引き出すことが可能となる。
【００１６】
即ち、本発明では、ユーザーが視認する外面（表面）を、宝石絵画１０の宝石１０ｂが接着していない透光板１０ａの他方の面としているため、複数の宝石１０ｂの凹凸が見え難く、一つ一つの宝石１０ｂが粗く見えない。そのため、ユーザーが宝石絵画１０の外面を見た場合、透光板１０ａを介して、複数の宝石１０ｂを視認することになり、宝石絵画１０の宝石１０ｂの美しさを十分に感得することが可能となる。
【００１７】
又、本発明では、宝石絵画１０の宝石１０ｂが接着している透光板１０ａの一方の面に、照明部１２により光を照射しているため、当該光が、透光板１０ａの複数の宝石１０ｂの凹凸に拡散され、乱反射されてから、透光板１０ａの一方の面と他方の面とを通過し、外部に照射される。このように、内部に設けた照明部１２により、宝石絵画１０の宝石１０ｂを介して、光を内部から外部に発して、ユーザーに見せることで、宝石絵画１０の一つ一つの宝石１０ｂを光り輝かせることが出来る。更に、複数の宝石１０ｂの凹凸も目立たず、宝石１０ｂの輝きを強調することが出来る。そのため、宝石絵画１０の宝石１０ｂ本来の輝きに加えて、宝石絵画１０が全体として幻想的に光輝き、宝石絵画１０の美しさを十分に引き出すことが可能となる。
【００１８】
又、宝石絵画１０は、通常、屋内に設けられ、屋内の照明の照度の大小により、宝石絵画１０の宝石１０ｂの輝きが変動することがあるが、本発明では、照明部１２を用いて意図的に宝石絵画１０の宝石１０ｂに光を照射させることが出来る。そのため、屋内の照明の照度の大小にかかわらず、宝石絵画１０の各宝石１０ｂに所定の輝きを持たせることが可能となる。
【００１９】
このように、宝石絵画１０の美しさを十分に引き出すことが出来るため、１００年以上経っても色褪せることが無く、「家代々の宝物」として極めて有用である。
【００２０】
ここで、宝石絵画１０の透光板１０ａは、本発明の目的を阻害しない限り、特に限定は無く、例えば、透明或いは半透明のガラス板、透明或いは半透明のプラスチック板等を採用することが出来る。
【００２１】
又、透光板１０ａの形状は、本発明の目的を阻害しない限り、特に限定は無いが、例えば、正方形、長方形、多角形、円形等を使用することが出来る。又、透光板１０ａのサイズは、本発明の目的を阻害しない限り、特に限定は無いが、例えば、形状が正方形の場合、１０．１６ｃｍ×１０．１６ｃｍ、１５．２４ｃｍ×１５．２４ｃｍ、２２．８６ｃｍ×２２．８６ｃｍ、３０．４８ｃｍ×３０．４８ｃｍ、４０．６４ｃｍ×４０．６４ｃｍ等を採用することが出来る。又、形状が長方形の場合、１０．１６ｃｍ×１５．２４ｃｍ、１５．２４ｃｍ×２０．３２ｃｍ、２２．８６ｃｍ×３０．４８ｃｍ、２７．９４ｃｍ×３８．１０ｃｍ、４１．９１ｃｍ×５８．４２ｃｍ等を採用することが出来る。
【００２２】
又、宝石絵画１０の宝石１０ｂは、本発明の目的を阻害しない限り、特に限定は無いが、宝石絵画１０の製造に多量の宝石１０ｂを使用することから、例えば、中程度以上のカラット、中程度以上のクラリティ、中程度以上のカット又はこれらを組み合わせた品質の宝石を使用することが出来る。
【００２３】
又、宝石１０ｂの種類は、本発明の目的を阻害しない限り、特に限定は無いが、例えば、下絵の画像の色に対応して、サファイア、ルビー、キャッツアイ、アレキサンドライト、ジルコン、スピネル、ムーンストーン、トパーズ、トルマリン、ペリドット、ガーネット、水晶、ターフェアイト、アクアマリン等を使用することが出来る。
【００２４】
又、宝石１０ｂのカット（形状）は、本発明の目的を阻害しない限り、特に限定は無いが、例えば、ブリリアントカット、ラウンド・ブリリアントカット、オーバル・ブリリアントカット、オールドマイン・ブリリアントカット、マルキーズ・ブリリアントカット、ハート・ブリリアントカット、ペアシェイプ・ブリリアントカット等のファセットカット、エメラルドカット、バゲットカット、スクウェアステップカット等のステップ・カット、バリオンカット、レイディエントカット、プリンセスカット、フランダースカット等のミックス・カット、カボションカット等を採用することが出来る。宝石１０ｂにカットが入っていなくても良い。又、宝石１０ｂのサイズは、本発明の目的を阻害しない限り、特に限定は無いが、５ｍｍから２０ｍｍの範囲内であれば良い。
【００２５】
又、透光板１０ａに宝石１０ｂを接着させる方法は、本発明の目的を阻害しない限り、特に限定は無いが、例えば、透明或いは半透明の接着剤、透明或いは半透明の両面接着テープ等を採用することが出来る。又、宝石１０ｂを含む接着部は照明部１２により常時光の照射を受けることから、耐光性のある透明性の接着剤又は透明性の両面接着テープであると好ましい。
【００２６】
又、宝石絵画１０は、絵画の画像に対応して、複数の宝石１０ｂを透光板１０ａの一方の面の全面に敷き詰めるよう構成される。これにより、宝石１０ｂで構成されない下絵の画像は無いため、全体として違和感の無い宝石絵画１０が出来上がる。
【００２７】
又、宝石絵画１０の絵画の画像は、本発明の目的を阻害しない限り、特に限定は無いが、例えば、漫画のキャラクター、動物、植物、人物像、建物、風景、文字（アルファベット、平仮名、片仮名、漢字等）等を採用することが出来る。
【００２８】
宝石絵画１０の製造方法は、本発明の目的を阻害しない限り、特に限定は無いが、例えば、下記の手順によりなされる。先ず、図２Ａに示すように、透光板１０ａの他方の面（表面）に対して所定の絵画の画像（例えば、フットボールの画像）を有する下絵２０を配置する。次に、図２Ｂに示すように、透光板１０ａと下絵２０とを重ね合わせると、下絵２０の画像は、透光板１０ａの一方の面（裏面）から視認可能である。そのため、この下絵２０の画像を見ながら、透光板１０ａの一方の面に対して前記絵画の画像の縁２１を黒線で描写する。この描写は、描写装置でも手書きでも構わない。これにより、所定の色を有する宝石１０ｂを、透光板１０ａのどこの領域（画像の縁２１の内部）に接着すれば良いか明確となる。そして、図２Ｃに示すように、下絵２０の画像の色を見ながら、透光板１０ａの画像の縁２１の内部の色に対応する色の宝石１０ｂを当該画像の縁の内部に接着剤等で接着していく。この際、前記下絵２０の画像の全てに対応して、前記透光板１０ａの一方の面に複数の宝石１０ｂを敷き詰める。そして、複数の宝石１０ｂの敷き詰めが完了すると、図２Ｄに示すように、透光板１０ａの一方の面をひっくり返せば、ユーザーが視認する外面を、宝石１０ｂが接着していない透光板１０ａの他方の面とする宝石絵画１０が出来上がる。
【００２９】
又、額縁１１の構成は、本発明の目的を阻害しない限り、特に限定は無いが、例えば、宝石絵画１０の透光板１０ａの周縁を装着（嵌め込み）可能な装着部１１ａと、宝石絵画１０及び照明部１２を収容するハウジング１１ｂとを備える。又、後述するように、照明部１２が、面状に光を照射する場合、装着部１１ａを、透光板１０ａの周縁を囲む枠体とし、当該照明部１２の光が照射する面の上に、宝石絵画１０の宝石１０ｂが接着している透光板１０ａの一方の面を配置した後に、当該装着部１１ａの枠体を宝石絵画１０の周縁に装着し、当該装着部１１ａ、宝石絵画１０、照明部１２の順番で、ハウジング１１ｂで収容して（挟み込んで）把持するよう構成しても良い。この場合、装着部１１ａの枠体は、通常の額縁の枠体を想定し、ハウジング１１ｂは、通常の額縁のように、ユーザーが視認する表面に、ガラス板を設け、照明部１２に対向する裏面（壁面に対向する外面）に、照明部１２、宝石絵画１０を出し入れするための開閉部を設けることになる。
【００３０】
又、照明部１２の光の照明態様は、本発明の目的を阻害しない限り、特に限定は無いが、例えば、宝石絵画１０の透光板１０ａの一方の面の全面に光を照射する構成でも、透光板１０ａの一方の面の一部に間欠的に光を照射する構成でも良い。又、照明部１２は、宝石絵画１０の透光板１０ａの一方の面に均等に光を照射する構成でも、透光板１０ａの一方の面に不均等に光を照射する構成でも良い。これは、照明部１２の光は、宝石絵画１０の宝石１０ｂの凹凸を通って、拡散して、乱反射して、ユーザーの目に届くため、その拡散や乱反射により、ある程度、宝石絵画１０の全面に行き渡る場合があるからである。
【００３１】
又、照明部１２の構成は、本発明の目的を阻害しない限り、特に限定は無いが、例えば、宝石絵画１０の透光板１０ａの一方の面に対応して、複数のＬＥＤ発光素子を上下又は左右に配置させたり、複数のＬＥＤ発光素子を透光板１０ａの他方の面に対向した全面に敷き詰めたり、複数の蛍光灯を上下又は左右に配置させたりする構成でも構わない。
【００３２】
ここで、照明部１２の構成として、例えば、下記のような構成を挙げることが出来る。先ず、図３Ａ、図３Ｂ、図３Ｃに示すように、照明部１２は、白色の反射板１２ａと、支持板１２ｂと、複数のＬＥＤ発光素子１２ｃと、コード１２ｄと、を備えている。反射板１２ａは、宝石絵画１０の透光板１０ａのサイズに対応するサイズで、当該透光板１０ａの一方の面に対面する。支持板１２ｂは、前記反射板１２ａの一端部（例えば、左端部のみ、右端部のみ等）又は両端部（左右端部、上下端部等）に、前記透光板１０ａの一方の面に向かって立設されている。複数のＬＥＤ発光素子１２ｃは、前記反射板１２ａの内側に対応する前記支持板１２ｂの面に設けられ、前記反射板１２ａの内側に向かって光を照射する。コード１２ｄは、例えば、商用電源に電気的に接続可能なプラグと、前記複数のＬＥＤ発光素子１２ｃへ電気的に接続された端子とを備え、当該複数のＬＥＤ発光素子１２ｃへ電力を供給する。これにより、図３Ｂに示すように、照明部１２は、側面視で、コの字状の形状となり、コの字状の端部を支持板１２ｂとし、コの字状の内部に向かって複数のＬＥＤ発光素子１２ｃの光で照射することになる。又、反射板１２ａのサイズは、宝石絵画１０の透光板１０ａのサイズに対応するため、宝石絵画１０の透光板１０ａの一方の面を反射板１２ａに対面させるように配置すると、丁度、宝石絵画１０が照明部１２のコの字状の内部に収まる。この状態で、複数のＬＥＤ発光素子１２ｃの光を宝石絵画１０の宝石１０ｂへ照射すれば、当該宝石１０ｂの凹凸により、各宝石１０ｂ毎が光の拡散機能を発揮して、光が散乱、乱反射し、外部へ照射され、宝石絵画１０の美しさを引き出すことが出来る。又、支持板１２ｂと複数のＬＥＤ発光素子１２ｃとは、丁度、宝石絵画１０の透光板１０ａの一端部又は両端部に配置されることになるため、照明部１２の小型化、薄肉化を図れ、既存の額縁１１に丁度収納することが可能となる。
【００３３】
尚、コード１２ｄは、図３Ｄに示すように、例えば、反射板１２ａの背面（屋内の壁面に対面する面）に延出され、所定のテープにより、当該反射板１２ａの背面に固定されている。又、図４Ａ、図４Ｂに示すように、宝石絵画１０が存在しない場合は、複数のＬＥＤ発光素子１２ｃを発光させると、複数のＬＥＤ発光素子１２ｃの近傍及び支持板１２ｂの近傍がぼんやり光ることになる。上述では、支持板１２ｂに複数のＬＥＤ発光素子１２ｃを均等配置しているが、光の強度や宝石絵画１０の絵画の画像の種類によって不均等配置でも構わない。
【００３４】
更に、照明部１２の他の構成として、例えば、下記のような構成を挙げることが出来る。図５Ａ、図５Ｂ、図５Ｃに示すように、照明部１２の反射板１２ａは、二枚の白色の透明板１２ａ１で一枚の透明な拡散板１２ａ２を挟んだ構成としている。又、照明部１２の支持板１２ｂは、前記反射板１２ａの一端部（例えば、左端部のみ、右端部のみ等）又は両端部（左右端部、上下端部等）に設けられ、側面視でコの字状であり、前記反射板１２ａの二枚の透明板１２ａ１を挟む構成としている。そして、照明部１２の複数のＬＥＤ発光素子１２ｃは、前記支持板１２ｂのコの字状の内側底面に設けられ、前記反射板１２ａの内側の拡散板１２ａ２に向かって光を照射する。これにより、図５Ｃに示すように、複数のＬＥＤ発光素子１２ｃの光を拡散板１２ａ２に照射すれば、当該拡散板１２ａ２の光の拡散により、透明板１２ａ１の全面に光を到達させることになるため、透明板１２ａ１の一方の面（上面）に置かれた宝石絵画１０の宝石１０ｂの全面に光を照射し、宝石絵画１０の美しさを引き出すことが出来る。又、支持板１２ｂをコの字状として、反射板１２ａの端部を挟むようにすることで、照明部１２全体を小型化、薄肉化を図れ、既存の額縁１１に丁度収納することが可能となる。
【００３５】
尚、宝石絵画１０の透光板１０ａの一方の面（宝石１０ｂのある面）を照明部１２の反射板１２ａの一面に配置する場合、宝石絵画１０の宝石１０ｂ自身の強度により、当該反射板１２ａの強度が負けて、当該反射板１２ａが擦れて傷付いたり破損したりする場合がある。特に、既存の額縁１１の内部は、狭い空間であり、その中に、宝石絵画１０と照明部１２とを収納すると、宝石絵画１０の宝石１０ｂと照明部１２の反射板１２ａとが擦れて、当該反射板１２ａが容易に傷付く。そこで、図５Ｃに示すように、宝石絵画１０の透光板１０ａの一方の面（宝石１０ｂのある面）と、照明部１２の光が照射される一方の面（照明部１２の反射板１２ａの一面）との間に、透明で、強度のあるフィルム１３を設けた上で、前記宝石絵画１０の透光板１０ａの一方の面を照明部１２の反射板１２ａの一面に配置すると好ましい。これにより、反射板１２ａの擦り傷や破損を防止出来て、長期間の使用を可能とする。又、前記フィルム１３は、半透明（乳白色）のフィルムにして、照明部１２からの光を均等に分散させるよう構成しても良い。
【００３６】
又、本発明は、照明部１２の電力供給用のコード１２ｄを額縁１１から外部に延出させ、そのコード１２ｄの途中に、ユーザーの選択に応じて、前記照明部１２への電力供給を許可又は不許可とするスイッチ部を更に備えるよう構成しても良い。例えば、宝石絵画用照明付き額縁１を屋内の壁面に設置した際に、屋内の照明が比較的強いと、ユーザーが、照明部１２の光は不要であると感じる場合がある。その場合は、ユーザーが、前記スイッチ部を介して、前記照明部１２への電力供給を不許可とすることで、屋内の照明で、通常の宝石絵画１０を鑑賞することが出来る。一方、屋内の照明が比較的弱いと、ユーザーが、照明部１２の光が必要であると感じる場合がある。その場合は、ユーザーが、前記スイッチ部を介して、前記照明部１２への電力供給を許可とすることで、屋内の照明で不十分だった光を、前記照明部１２の光で補うとともに、屋内が暗ければ、照明部１２の光で輝く宝石絵画１０が幻想的に現れるため、宝石絵画１０の美しさを十分に引き出すことが可能となる。
【００３７】
又、照明部１２の光の色は、本発明の目的を阻害しない限り、特に限定は無いが、例えば、白色、黄色、赤色、青色、緑色等の一色のみでも良いし、ＬＥＤ発光素子１２ｃの配置位置に応じて発光する光の色を変更しても良い。又、ＬＥＤ発光素子１２ｃに、多色を発光可能なＬＥＤ発光素子を採用し、コード１２ｄの途中に、ユーザーの選択に応じて、前記照明部１２の光の色を変更可能な発光色変更部を更に備えるよう構成しても良い。これにより、ユーザーの好みに応じて、適宜、発光色を変更すれば、宝石絵画１０も多種の輝きを放つことになり、より宝石絵画１０の美しさを引き出すことが可能となる。
【００３８】
又、本発明は、前記照明部１２のコード１２ｄの途中に、ユーザーの選択に応じて、前記照明部１２が照射する光の照度を調整する照度調整部を更に備えるよう構成しても良い。ここで、照明部１２の光の照度による宝石絵画１０（複数の宝石１０ｂ）の輝き方は、宝石絵画１０の宝石１０ｂの種類、宝石１０ｂが構成する画像の種類、宝石絵画１０のサイズ等に応じて異なる。例えば、図６Ａに示すように、照明部１２の光の照度が小さい（弱い）場合、宝石絵画１０の輝き方は弱くなる一方、宝石絵画１０の画像は鮮明で視認しやすくなる。一方、図６Ｂに示すように、照明部１２の光の照度が大きい（強い）場合、宝石絵画１０の輝き方は強くなる一方、宝石絵画１０の画像の色が際立って幻想的になる。そのため、ユーザーが、照明部１２の光の照度を照度調整部を介して調整することで、自分の好みに合わせて、宝石絵画１０の輝き方を変更することが可能となる。
【００３９】
又、照明部１２の光の色は、時間の経過とともに変化するよう構成しても良い。例えば、ＬＥＤ発光素子１２ｃの発光色に、朝日の色（例えば、黄色）、昼間の色（例えば、白色）、夕日の色（例えば、赤色）、夜の色（例えば、青色）を変化可能になるように、多種のＬＥＤ発光素子１２ｃを用意し、照明部１２が、ＬＥＤ発光素子１２ｃの発光色を、朝日の色、昼間の色、夕日の色、夜の色に順次変更する。これにより、一つの宝石絵画１０で一日の多種の場面の態様を表現することが可能となり、一つの宝石絵画１０で一日の物語を演出することが可能となる。尚、上述では、複数のＬＥＤ発光素子１２ｃを想定したが、複数の蛍光灯に代えても構わない。
【００４０】
又、照明部１２は、図７Ａに示すように、前記宝石絵画の内面に対応して、多色発光可能な複数のフルカラーＬＥＤ発光素子１４を面状に敷き詰めた構成とし、前記フルカラーＬＥＤ発光素子１４に電気的に接続され、前記宝石絵画１０の画像に合わせて、各フルカラーＬＥＤ発光素子１４の点灯を制御する点灯制御部１５を更に備えるよう構成しても良い。フルカラーＬＥＤ発光素子１４は、例えば、赤、青、緑の色の単色ＬＥＤ発光素子を備え、単色ＬＥＤ発光素子の発光強度を調整することで、多色に発光させることが出来る。フルカラーＬＥＤ発光素子１４は、性能に寄るものの、例えば、６００００種類の色を発光させることが可能であり、隣接するフルカラーＬＥＤ発光素子１４の発光強度を調整することで、光の色のグラデーションを付けることも可能である。フルカラーＬＥＤ発光素子１４は、前記宝石絵画１０の画像のキャラクター、色、模様等に応じて、特定の色の光をフルカラーＬＥＤ発光素子１４で発光させる。図７Ｂに示すように、面状の複数のフルカラーＬＥＤ発光素子１４の下面に点灯制御部１５が設けられ、ハウジングされることで、額縁１１が構成される。
【００４１】
点灯制御部１５は、複数のフルカラーＬＥＤ発光素子１４のうち、特定の位置のフルカラーＬＥＤ発光素子を点灯させて、他の位置のフルカラーＬＥＤ発光素子を消灯させることが出来る。図７Ｃに示すように、例えば、中心位置のフルカラーＬＥＤ発光素子を紫色に発光し、次に、隣接するフルカラーＬＥＤ発光素子を紫色に発光し、更に、右に隣接するフルカラーＬＥＤ発光素子を黄色に発光させ、下方に隣接するフルカラーＬＥＤ発光素子を赤色に発光させる。このように、位置に応じて、フルカラーＬＥＤ発光素子の発光色や点灯タイミングを制御することが出来るため、発光に物語性を出しやすくなる。
【００４２】
ここで、照明部１２に（フルカラー）ＬＥＤ発光素子を用いる場合、前記宝石絵画１０の内面と前記照明部１２の光が照射される一方の面との間に設けられるフィルム１３は、半透明で乳白色のフィルムであると好ましい。ＬＥＤ発光素子の光は、通常、直線性を有しているため、図７Ｃに示すように、ＬＥＤ発光素子の発光箇所のみ光り、他の箇所は光らない。一方、宝石絵画１０は、全面に宝石が敷き詰められているため、発光される光が拡散される方が好ましい。そこで、図８Ａに示すように、フルカラーＬＥＤ発光素子の上面に、半透明で乳白色のフィルム１３を設けることで、一箇所のフルカラーＬＥＤ発光素子の光を広い範囲にわたって拡散させて光らせることが出来るため、前記宝石絵画１０を十分に輝かすことが出来る。
【００４３】
又、点灯制御部１５は、特定のメモリーを装着出来るスロットを備え、当該スロットに装着されたメモリーのプログラムに従って、各フルカラーＬＥＤ発光素子１４の発光色や点灯タイミングを変更する。これにより、ユーザーは、自分好みのプログラムのメモリーを選択し、スロットに装着することで、自分好みに応じて、フルカラーＬＥＤ発光素子１４の発光パターンを変更させることが出来る。
【００４４】
又、本発明は、図８Ｂに示すように、更に、ユーザーの存在を検知する人感センサー１６（例えば、赤外線センサー）を備え、点灯制御部１５は、前記人感センサー１６によりユーザーの存在が検知されると、前記フルカラーＬＥＤ発光素子１４の点灯を開始するよう構成しても良い。これにより、ユーザーが電源を入れなくても、宝石絵画用照明付き額縁１に接近するだけで、前記フルカラーＬＥＤ発光素子１４を光らせ、前記宝石絵画１０を輝かすことが可能となる。又、点灯制御部１５は、前記人感センサー１６によりユーザーの存在が不検知になると、前記フルカラーＬＥＤ発光素子１４を消灯する。又、本発明は、前記宝石絵画１０の画像に合ったＢＧＭ等の音楽を流す音楽生成部１７を更に備えるよう構成しても良い。例えば、前記宝石絵画１０の画像が川である場合、音楽生成部１７は、川の水が流れる音を流す。これにより、視覚に加えて聴覚にも刺激を与えることが出来て、ユーザーに飽きの来ない宝石絵画１０とすることが出来る。又、音楽生成部１７は、前記人感センサー１６と連動して、前記人感センサー１６によりユーザーの存在が検知されると、音楽を流し、前記人感センサー１６によりユーザーの存在が不検知になると、音楽を停止するよう構成しても良い。前記メモリーのプログラムには、各フルカラーＬＥＤ発光素子１４の発光色や点灯タイミングの他に、音楽データが記憶され、音楽生成部１７は、この音楽データに基づいて音楽を流す。
【００４５】
点灯制御部１５は、プログラムの内容に応じて、多種のパターンの発光を可能とする。例えば、図９に示すように、前記宝石絵画１０の画像が、羽ばたく鳥である場合、点灯制御部１５は、複数のフルカラーＬＥＤ発光素子１４を、位置に応じて、白色、赤色、橙色、黄色、緑色、青色、藍色、紫色に発光させることで、鳥が虹色に輝くように演出させる。又、点灯制御部１５は、各フルカラーＬＥＤ発光素子１４の発光色を周期的に変更することで、鳥の虹色が動いているように見せることが出来る。又、点灯制御部１５は、図１０に示すように、全てのフルカラーＬＥＤ発光素子１４を、単色で特定の時間だけ点灯させ、その色を、順次、白色、赤色、橙色、黄色、緑色、青色、紫色等に変更するよう構成しても良い。このように、同一の宝石絵画１０の画像であっても、発光のパターンを変更することで、異なった印象を演出させることが可能となり、ユーザーに飽きの来ない宝石絵画１０とすることが出来る。
【００４６】
＜実施例、比較例等＞
以下、実施例、比較例等によって本発明の効果を具体的に説明するが、本発明はこれにより限定されるものではない。
【００４７】
＜実施例１＞
図２に示す手順で宝石絵画１０を製造し、図１、図５に基づいて、宝石絵画用照明付き額縁１を作製し、図１１に示すように、それを実施例１とした。
【００４８】
＜比較例１＞
図１２Ａに示すように、宝石絵画１２０の宝石１２０ｂが接着している透光板１２０ａの一方の面をユーザーに視認可能になるように、当該宝石絵画１２０を額縁１２１に保持した従来の宝石絵画１２を作製し、それを比較例１とした。
【００４９】
＜外観試験及び試験結果＞
実施例１、比較例１で宝石絵画の外観を確認したところ、実施例１では、宝石絵画１０の透光板１０ａの他方の面（宝石１０ｂのない面）を確認すると、図１１Ａに示すように、宝石絵画１０の宝石１０ｂの凹凸が外面から見えないため、宝石絵画１０が全体として綺麗に見えることが理解される。参考に、宝石絵画１０の透光板１０ａの一方の面（宝石１０ｂのある面）を確認すると、図１１Ｂに示すように、宝石１０ｂの凹凸が目立ち、宝石絵画１０の絵画の画像がぼやけることが理解される。
【００５０】
そして、照明部１２の光を照射（発光）させると、図１１Ａに示すように、照明部１２の光の照射により、宝石絵画１０の各宝石１０ｂが輝いて、宝石絵画１０が幻想的に光り輝いていることが理解される。又、宝石１０ｂの輝きにより、宝石絵画１０の絵画の画像が明確に確認出来ることが理解される。
【００５１】
一方、比較例１では、図１２Ｂ、図１２Ｃに示すように、宝石絵画１２０の宝石１２０ｂの凹凸が外面から見えるため、宝石絵画１２０の画像が粗く見えることが理解される。又、宝石絵画１２０の宝石１２０ｂは、外部からの光を殆ど受けないため、綺麗に輝くことは無いことが理解される。そのため、実施例１は、宝石絵画１０の美しさを十分に引き出すことが出来ることを確認出来た。
【産業上の利用可能性】
【００５２】
以上のように、本発明に係る宝石絵画用照明付き額縁は、宝石絵画の美しさを十分に引き出すことが可能な宝石絵画用照明付き額縁として有用であり、１００年以上経っても色褪せることが無く、「家代々の宝物」として有効である。
【符号の説明】
【００５３】
１  宝石絵画用照明付き額縁
１０  宝石絵画
１０ａ  透光板
１０ｂ  宝石
１１  額縁
１１ａ  装着部
１１ｂ  ハウジング
１２  照明部
１２ａ  反射板
１２ｂ  支持板
１２ｃ  ＬＥＤ発光素子
１２ｄ  コード
２０  下絵
【要約】
【解決手段】宝石絵画１０は、透光板１０ａの一方の面（例えば、裏面）に対して、所定の絵画の画像の縁を描き、当該画像の縁の内部の色に対応する色の宝石を当該画像の縁の内部に接着し、全ての画像に対して複数の宝石を敷き詰めることで得られる。又、額縁１１は、前記宝石絵画１０の複数の宝石が敷き詰められた透光板１０ａの一方の面を内面とし、当該透光板１０ａの他方の面を外面として、当該宝石絵画１０の透光板１０ａの他方の面をユーザーに視認可能に保持する。又、照明部１２は、前記額縁１１の内部に収納され、前記宝石絵画１０の内面に光を照射させる。
【選択図】図１【図１】
0005830776.tif 000002
【図２】
0005830776.tif 000003
【図３】
0005830776.tif 000004
【図４】
0005830776.tif 000005
【図５】
0005830776.tif 000006
【図６】
0005830776.tif 000007
【図７】
0005830776.tif 000008
【図８】
0005830776.tif 000009
【図９】
0005830776.tif 000010
【図１０】
0005830776.tif 000011
【図１１】
0005830776.tif 000012
【図１２】
0005830776.tif 000013